(57)【要約】【課題】本発明は、正規なフィルタエレメント以外のフィルタエレメントが組み付けられることが抑制される濾過装置を提供する。【解決手段】濾過装置１０は、上端支持部材３５を有するフィルタエレメント３０と、着脱可能な蓋部材４０とを備える。蓋部材４０の本体部４１の下面４１ａに、蓋側凸部４６を形成する。上端支持部材３５は、シール部３５ｃと、フィルタ側凹部３７とを備える。シール部３５ｃは、開口３５ａの周囲に設けられて本体部４１の下面４１ａに密接可能である。フィルタ側凹部３７は、上面３５ｂの蓋側凸部４６と対応した位置に形成され、シール部３５ｃと蓋部材４０とが密接した状態において蓋側凸部４６と嵌合する。フィルタ側凹部３７は、所定の文字，記号，図柄などを表した形状となっている。蓋側凸部４６は、フィルタ側凹部３７の鏡像形状である。【選択図】      図２
2005349336.tif 000002
【特許請求の範囲】
【請求項１】
上部側の端面に開口を有する筒状のフィルタエレメントと、
該フィルタエレメントの前記開口を液密に塞ぐ着脱可能な蓋部材と、
を具備する濾過装置であって、
前記蓋部材の下面に、前記フィルタエレメントの前記端面に向かって突出しかつ、所定の文字，記号，図柄などに応じた形状の蓋側凸部が形成され、
前記フィルタエレメントは、
前記開口の周囲に設けられて前記蓋部材の前記下面に密接可能なシール部と、
前記端面の前記蓋側凸部と対応した位置に形成され、前記シール部と前記蓋部材とが密接した状態において前記蓋側凸部と嵌合する所定の文字，記号，図柄などを表す形状のフィルタ側凹部と、
を具備することを特徴とする濾過装置。
【請求項２】
前記蓋部材の前記下面に蓋側凹部がさらに形成され、
前記フィルタエレメントの前記端面には、前記蓋側凹部と対応した位置に、前記シール部と前記蓋部材とが密接した状態において前記蓋側凹部と嵌合するフィルタ側凸部がさらに形成されることを特徴とする請求項１に記載の濾過装置。
【請求項３】
上部側の端面に開口を有する筒状のフィルタエレメントと、
該フィルタエレメントの前記開口を液密に塞ぐ着脱可能な蓋部材と、
を具備する濾過装置であって、
前記蓋部材の下面に、所定の文字，記号，図柄などに応じた形状の蓋側凹部が形成され、
前記フィルタエレメントは、
前記開口の周囲に設けられて前記蓋部材の前記下面に密接可能なシール部と、
前記端面の前記蓋側凹部と対応した位置に前記蓋部材の前記下面に向かって突出して形成され、前記シール部と前記蓋部材とが密接した状態において前記蓋側凹部と嵌合する所定の文字，記号，図柄などを表す形状のフィルタ側凸部と、
を具備することを特徴とする濾過装置。
【発明の詳細な説明】
【技術分野】
【０００１】
本発明は、例えば油圧アクチュエータなどを備えた液圧機器の液圧回路において、循環する液を濾過するための濾過装置に関する。
【背景技術】
【０００２】
液圧シリンダなどのアクチュエータを有する機器において、液圧回路を循環する液を濾過するためにフィルタ装置（濾過装置）が使用されている（例えば、特許文献１参照。）。フィルタ装置は、内部に交換可能なエレメント（フィルタエレメント）を備えている。この種のフィルタ装置は、定期的に、あるいは必要に応じてエレメントを交換することが行われている。
【特許文献１】特開２００１−１７０４２２号公報
【発明の開示】
【発明が解決しようとする課題】
【０００３】
しかし、エレメントを交換する場合、フィルタ装置に対して正規なエレメントではなく、正規なエレメント以外のエレメントに交換されることがある。この場合、正規なエレメントと、正規なエレメント以外のエレメントとの形状や濾過性能の相違などによって、フィルタ装置の機能が充分に発揮されないことが考えられる。
【０００４】
このため、正規のエレメント以外のエレメントが長期にわたって使用されると、フィルタ装置が組み付けられる機器に不具合が生じることが考えられる。
【０００５】
したがって、本発明の目的は、正規なフィルタエレメント以外のフィルタエレメントが組み付けられることが抑制される濾過装置を提供することにある。
【課題を解決するための手段】
【０００６】
本発明の濾過装置は、上部側の端面に開口を有する筒状のフィルタエレメントと、該フィルタエレメントの開口を液密に塞ぐ着脱可能な蓋部材とを備える。蓋部材の下面に、フィルタエレメントの端面に向かって突出しかつ、所定の文字，記号，図柄などに応じた形状の蓋側凸部を形成する。フィルタエレメントは、シール部と、フィルタ側凹部とを備える。シール部は、端面の開口の周囲に設けられて蓋部材の下面に密接可能である。フィルタ側凹部は、端面の蓋側凸部と対応した位置に形成され、シール部と蓋部材とが密接した状態において蓋側凸部と嵌合する所定の文字，記号，図柄などを表す形状である。
【０００７】
フィルタ側凹部は、例えば正規なフィルタエレメントを製造したり販売する会社の社名や登録商標などを表すものである。蓋側凸部は、フィルタ側凹部の鏡像の形状である。なお、正規なフィルタエレメントとは、蓋部材が取り付けられることが正規に認められているフィルタエレメントである。
【０００８】
本発明の好ましい形態では、蓋部材の下面に、前記蓋側凸部に加えて蓋側凹部をさらに形成する。フィルタエレメントの端面には、該蓋側凹部と対応した位置に、シール部と蓋部材とが密接した状態において該蓋側凹部と嵌合するフィルタ側凸部をさらに形成する。
【０００９】
本発明の濾過装置は、上部側の端面に開口を有する筒状のフィルタエレメントと、該フィルタエレメントの開口を液密に塞ぐ着脱可能な蓋部材とを備える。蓋部材の下面に、所定の文字，記号，図柄などに応じた形状の蓋側凹部を形成する。フィルタエレメントは、シール部と、フィルタ側凸部とを備える。シール部は、開口の周囲に設けられて蓋部材の下面に密接可能である。フィルタ側凸部は、端面の蓋側凹部と対応した位置に蓋部材の下面に向かって突出して形成され、シール部と蓋部材とが密接した状態において蓋側凹部と嵌合する所定の文字，記号，図柄などを表す形状である。
【００１０】
フィルタ側凸部は、例えば正規なフィルタエレメントを製造したり販売する会社の社名や登録商標などを表すものである。蓋側凹部は、フィルタ側凸部の鏡像の形状である。
【発明の効果】
【００１１】
本発明の濾過装置によれば、正規なフィルタエレメント以外のフィルタエレメントが組み付けられることが抑制される。
【発明を実施するための最良の形態】
【００１２】
以下に本発明の第１の実施形態に係る濾過装置について、図１から図５を参照して説明する。図１は、濾過装置１０が液圧回路２０に組み込まれている状態を示している。液圧回路２０は、油圧アクチュエータに用いる作動油などの液を循環させる。濾過装置１０は、濾過すべき液Ｆ１を濾過する機能を有している。
【００１３】
図２に示すように、濾過装置１０は、フィルタエレメント３０と、蓋部材４０と、取付手段５０とを備えている。フィルタエレメント３０は、外側筒部材３１と、内側筒部材３２と、濾材３３と、下端支持部材３４と、上端支持部材３５とを備えている。
【００１４】
図１から図３に示すように、外側筒部材３１は、上端と下端とが開口する略円筒状である。外側筒部材３１の側壁は、略全域にわたって複数の第１の連通孔３１ａが形成されている。第１の連通孔３１ａは、外側筒部材３１の外側と内側とを連通している。なお、図１から図３には、第１の連通孔３１ａは、側壁の一部にだけ示されているが、実際は、側壁の略全域に形成されている。また、外側筒部材３１の形状は、円筒に限定されるものではない。
【００１５】
内側筒部材３２は、上端と下端が開口する略円筒状であって、外側筒部材３１と略同じ高さを有している。内側筒部材３２の径は、外側筒部材３１の径よりも小さい。内側筒部材３２の側壁は、略全域にわたって複数の第２の連通孔３２ａが形成されている。第２の連通孔３２ａは、内側筒部材３２の側壁の外側と内側とを連通している。なお、図１から図３に示すように、第２の連通孔３２ａは、側壁の一部にだけ示されているが、実際は、側壁の略全域に形成されている。また、内側筒部材３２の形状は、円筒に限定されるものではない。
【００１６】
濾材３３は、上端と下端とが開口する略円筒状であって、外側筒部材３１と略同じ高さを有している。濾材３３は、濾過すべき液Ｆ１中の汚れを濾す機能を有している。濾材３３の径は、外側筒部材３１の径よりも小さく内側筒部材３２の径よりも大きい。
【００１７】
内側筒部材３２は、外側筒部材３１の内側に収容されている。濾材３３は、該濾材３３の側壁が外側筒部材３１の側壁と、内側筒部材３２の側壁との間に位置するように外側筒部材３１の内側に収容されている。外側筒部材３１と内側筒部材３２と濾材３３とのそれぞれ下端は、下端支持部材３４によって支持されている。下端支持部材３４は、内側筒部材３２の下端開口に対応して開口する環状である。つまり、内側筒部材３２の下端開口は、下端支持部材３４によって覆われることはなく、開口した状態が保たれている。下端支持部材３４は、外側筒部材３１の下端から内側筒部材３２の下端までを液密に閉塞している。
【００１８】
上端支持部材３５は、外側筒部材３１の側壁上端と内側筒部材３２の側壁上端とを覆う幅を有する略円環状部材である。上端支持部材３５は、内側支持部材の開口３２ｂと対応して開口する開口３５ａを有している。内側筒部材３２の開口３２ｂは、上端支持部材３５によって覆われることなく、開口した状態が保たれている。上端支持部材３５の開口３５ａと、内側筒部材３２の開口３２ｂとは、本発明で言うフィルタエレメント３０の上部側の開口である。上端支持部材３５は、外側筒部材３１の上端と内側筒部材３２の上端との間を液密に閉塞している。図３に示すように、上端支持部材３５は、周縁の全域から立ち上る立ち上り部３６を有している。
【００１９】
図２に示すように、蓋部材４０は、本体部４１と、取手４２と、リリーフ弁４３とを備えている。図１と図４とに示すように、本体部４１は、フィルタエレメント３０の上端支持部材３５の上面３５ｂに重なる略円板状である。本体部４１は、立ち上り部３６の内側に嵌る大きさである。本体部４１の下面４１ａは、上端支持部材３５の上面３５ｂと対向する。本体部４１の下面４１ａは、上端支持部材３５の開口３５ａの周囲に対応する位置に、第１の溝４４が円環状に形成されている。第１の溝４４には、Ｏリング４５が収容されている。
【００２０】
また、図３に示すように、上端支持部材３５は、開口３５ａの周囲がシール部３５ｃとなっている。シール部３５ｃは、本体部４１の下面４１ａと密接する。上端支持部材３５の開口３５ａは、本体部４１の下面４１ａと上端支持部材３５のシール部３５ｃとが密接するとともにＯリング４５がシール部３５ｃと当接することによって、液密に閉塞される。
【００２１】
なお、本実施の形態では、本体部４１の下面４１ａにＯリング４５が設けられているが、これに限定されるものではない。例えば、シール部３５ｃにＯリング４５が設けられてもよい。この場合であっても、本体部４１は、上端支持部材３５の開口３５ａを液密に閉塞することができる。また、上端支持部材３５の上面３５ｂの全域がシール部３５ｃとなって、上面３５ｂの全域が本体部４１の下面４１ａと密接してもよい。
【００２２】
図４に示すように、本体部４１の下面４１ａには、上端支持部材３５の上面３５ｂに向かって突出する複数の蓋側凸部４６が形成されている。それぞれ蓋側凸部４６は、例えば、文字の鏡像形状をなしている。図中に示されているＡ、Ｂ、Ｃの鏡像形状は一例であって、これに限定されるものではない。例えば、複数の蓋側凸部４６は、濾過装置１０が組み込まれる油圧アクチュエータを製作する会社の社名や登録商標の鏡像形状であってもよい。あるいは、正規なフィルタエレメントであるフィルタエレメント３０を製作する、あるいは販売する会社の社名や登録商標の鏡像形状であってもよい。
【００２３】
なお、フィルタエレメント３０は、蓋部材４０が取り付けられることが正規に認められているフィルタエレメントである。
【００２４】
図３に示すように、上端支持部材３５の上面３５ｂには、蓋側凸部４６に対応した位置に、フィルタ側凹部３７が形成されている。フィルタ側凹部３７は、蓋側凸部４６が嵌合可能な形状である。蓋部材４０が上端支持部材３５の開口３５ａを液密に閉塞すると、つまり、本体部４１の下面４１ａと上端支持部材３５のシール部３５ｃとが密接した状態において、蓋側凸部４６がフィルタ側凹部３７に嵌合する。つまり、フィルタ側凹部３７は、蓋側凸部４６と対応した文字を表す形状となっている。
【００２５】
本体部４１の下面４１ａには、嵌合部４７が形成されている。嵌合部４７は、円環状である。嵌合部４７は、蓋部材４０が上端支持部材３５に取り付けられると、上端支持部材３５の開口３５ａに嵌合する。取手４２は、本体部４１の上面に設けられている。リリーフ弁４３は、本体部４１の下面４１ａの中央部に設けられている。リリーフ弁４３は、濾過装置１０の外側の圧力が所定値よりも大きくなると開くようになっている。
【００２６】
図２に示すように、取付手段５０は、第２の溝５１と、止め輪５２とを備えている。図３に示すように、第２の溝５１は、上端支持部材３５の立ち上り部３６の内周面に形成されており、径方向外側に向かって凹状であって内周面に沿って円環状である。第２の溝５１の底部は、上端支持部材３５の上面３５ｂから蓋部材４０の略本体部４１の厚み分の高さの位置に形成されている
止め輪５２は、円環状に形成されており、第２の溝５１に装着される。止め輪５２は、第２の溝５１に装着された状態では、一部が第２の溝５１から外に出る。
【００２７】
止め輪５２は、蓋部材４０が上端支持部材３５の上面３５ｂに重ねられ、蓋側凸部４６とフィルタ側凹部３７とが嵌合した状態で第２の溝５１に装着される。この状態では、第２の溝５１から出る止め輪５２の一部は、蓋部材４０の本体部４１の上面の周縁と係合する。このように、蓋部材４０は、取付手段５０によって抜け止めがなされる。
【００２８】
フィルタエレメント３０は、蓋部材４０に対して着脱可能である。なお、取付手段５０において、止め輪５２を備える構造は、一例であってこれに限定されるものではない。
【００２９】
図１に示すように、液圧回路２０は、タンク２１と、流入管２２と、流出管２３となどを備えている。タンク２１は、内側部屋２４と、外側部屋２６とを備えている。内側部屋２４は、上端が開口する有底形状である。内側部屋２４の上端開口は、タンクカバー２５によって液密に閉塞されている。外側部屋２６は、内側部屋２４を囲むように形成されている。
【００３０】
内側部屋２４の内側には、濾過装置１０が装着される。内側部屋２４の底壁には、外側部屋２６と連通する連通管２７が設けられている。フィルタエレメント３０の下端開口は、連通管２７に嵌合する。蓋部材４０の本体部４１の上面とタンクカバー２５の下面との間には、濾過装置１０が浮き上がらないようにする固定用ばね２８が設けられる。
【００３１】
流入管２２は、タンク２１の上部側において、タンク２１の外側から内側部屋２４内にかけて設けられている。流入管２２は、内側部屋２４の内側に開口している。流入管２２は、濾過すべき液Ｆ１をタンク２１に導く。流出管２３は、タンク２１の外側から外側部屋２６の底壁を貫通して、外側部屋２６内に開口している。流出管２３は、濾過後のクリーンな液Ｆ２をタンク２１から液圧回路２０の他の部位へ導く。
【００３２】
つぎに、濾過装置１０の動作について説明する。  
まず、蓋部材４０の蓋側凸部４６が上端支持部材３５のフィルタ側凹部３７に嵌合するように、蓋部材４０が上端支持部材３５に取り付けられる。このとき、蓋側凸部４６とフィルタ側凹部３７とが対向するように、ある程度お互いの位置を決めてから蓋部材４０が重ねられる。
【００３３】
なお、蓋部材４０を重ねた状態で蓋側凸部４６とフィルタ側凹部３７とが嵌合しない場合は、蓋部材４０の本体部４１の下面４１ａを、上端支持部材３５の上面３５ｂに対して回転させる。これにより、蓋側凸部４６がフィルタ側凹部３７と対向するようになり、嵌合するようになる。
【００３４】
上端支持部材３５の開口３５ａは、蓋部材４０によって液密に閉塞される。ついで、止め輪５２が第２の溝５１に装着される。ついで、図１に示すように、濾過装置１０がタンク２１の内側部屋２４内に装着される。この状態で、流入管２２からタンク２１の内側部屋２４の内側に濾過すべき液Ｆ１が導かれる。
【００３５】
濾過すべき液Ｆ１は、フィルタエレメント３０の外側筒部材３１の側壁に形成された第１の連通孔３１ａから内側に浸入する。このとき、上端支持部材３５の開口３５ａは、蓋部材４０によって液密に閉塞されている。このため、濾過すべき液Ｆ１が第１の連通孔３１ａ以外の箇所から侵入することはない。なお、内側部屋２４の内部の圧力が所定値よりも大きくなった場合は、リリーフ弁４３が開く。浸入した濾過すべき液Ｆ１は、濾材３３によって濾過される。濾過後のクリーンな液Ｆ２は、内側筒部材３２の側壁に形成された第２の連通孔３２ａから内側筒部材３２の内側へ浸入する。
【００３６】
濾過後のクリーンな液Ｆ２は、内側筒部材３２の内側に出た後、連通管２７を通ってタンク２１の外側部屋２６の内側へ導かれる。濾過後のクリーンな液Ｆ２は、外側部屋２６に溜まるとともに、図示しないポンプなどによって流出管２３から液圧回路２０の他の部位へ導かれる。
【００３７】
フィルタエレメント３０は、上記のように濾過すべき液Ｆ１を濾過することにより、次第に濾過能力が低下していくため、定期的にまたは必要に応じて新しいフィルタエレメント３０に交換される。交換の手順は、まず、止め輪５２を第２の溝５１から取り外す。ついで、蓋部材４０をフィルタエレメント３０から取り外す。蓋部材４０と止め輪５２とは、再び用いられる。新しいフィルタエレメント３０が用意されると、蓋部材４０が新しいフィルタエレメント３０に取り付けられる。ついで、止め輪５２が第２の溝５１に装着される。
【００３８】
なお、フィルタエレメント３０が交換される際に、濾過装置１０の使用者は、上端支持部材３５の上面３５ｂを見ることになる。それゆえ、フィルタ側凹部３７は、該フィルタ側凹部３７が示す文字が使用者に認識されやすいように正しい姿勢に形成されている。このため、蓋側凸部４６は、フィルタ側凹部３７に対して鏡像形状をなしている。
【００３９】
つぎに、図５に示すように、フィルタエレメント３０の交換の際に、上端支持部材３５にフィルタ側凹部３７が形成されていないフィルタエレメント３８が誤って用いられた場合の濾過装置１０の動作について説明する。なお、フィルタエレメント３８は、フィルタ側凹部３７以外の構成は、フィルタエレメント３０と同様な構成であるので、同一な機能を有する構成にはフィルタエレメント３０と同一の符号を付して説明を省略する。
【００４０】
フィルタエレメント３８は、上端支持部材３５の上面３５ｂにフィルタ側凹部３７が形成されていない。このため、フィルタエレメント３８に蓋部材４０とが取り付けられると、本体部４１の下面４１ａと、上端支持部材３５の上面３５ｂとの間に、隙間４８が形成される。隙間４８は、本体部４１の下面４１ａと、上端支持部材３５の上面３５ｂとの間に、蓋側凸部４６が介在することによって形成される。濾過すべき液の一部Ｆ１ａは、隙間４８を通って濾過されることなくフィルタエレメント３０を通過し、再び液圧回路２０内を循環することになる。
【００４１】
なお、取付手段５０は、蓋部材４０をフィルタエレメント３８に取付可能であっても、取り付けることができなくてもよい。取付可能である場合は、蓋部材４０をフィルタエレメント３８の取り付ける際に、取り付けにくくなるなどの不具合が生じることが好ましい。
【００４２】
このように、濾過装置１０は、正規なフィルタエレメントであるフィルタエレメント３０を用いることによって、蓋側凸部４６がフィルタ側凹部３７と嵌合して上端支持部材３５の開口３５ａが液密に閉塞される。そして、フィルタエレメント３０以外のフィルタエレメント３８が用いられると、隙間４８が形成されることによるがたつきや、取付手段５０の異常例えば止め輪５２を第２の溝５１に装着しにくくなるなどの不具合が生じる。
【００４３】
濾過装置１０の使用者は、上記のような不具合が生じることによって、蓋部材４０を正規なフィルタエレメントであるフィルタエレメント３０以外のフィルタエレメント３８に取り付けたことを認識することができる。これにより、正規なフィルタエレメントであるフィルタエレメント３０以外のフィルタエレメント３８が濾過装置１０に組み付けられることが抑制される。
【００４４】
また、フィルタ側凹部３７によって会社名や登録商標が形成される場合は、正規なフィルタエレメントであるフィルタエレメント３０と、そうでないフィルタエレメント３８との区別が明確になるとともに、フィルタ側凹部３７が宣伝作用を有するようになる。
【００４５】
つぎに、本発明の第２の実施形態に係る濾過装置１０について図６と図７とを参照して説明する。なお、第１の実施形態と同様な機能を有する構成については同一の付号を付して説明を省略する。
【００４６】
図７に示すように、蓋部材４０の本体部４１は、さらに、蓋側凹部４９を有している。蓋側凹部４９は、本体部４１の下面４１ａに形成されている。蓋側凹部４９の形状は、蓋側凸部４６と同様に、文字の鏡像形状であるが、これに限定されるものではない。
【００４７】
図６に示すように、上端支持部材３５の上面３５ｂは、さらに、蓋側凹部４９と対応する位置にフィルタ側凸部３９が形成されている。フィルタ側凸部３９は、蓋側凹部４９に嵌合可能な形状である。フィルタ側凸部３９は、蓋側凹部４９と対応した文字を表す形状となっている。フィルタ側凸部３９は、該フィルタ側凸部３９が示す文字の正しい姿勢になるように形成されている。
【００４８】
これは、濾過装置１０の使用者が、フィルタエレメント３０の交換の際に上端支持部材３５の上面３５ｂを見るため、フィルタ側凹部３７と同様に、フィルタ側凸部３９が示す文字が認識されやすいようにするためである。このため、蓋側凹部４９は、フィルタ側凸部３９に対して鏡像形状をなしている。本体部４１の下面４１ａと上端支持部材３５のシール部３５ｃとが密接した状態において、フィルタ側凸部３９は、蓋側凹部４９に嵌合する。
【００４９】
第２の実施形態では、上端支持部材３５にフィルタ側凹部３７とフィルタ側凸部３９が形成されることによって、上端支持部材の形状が複雑になる。このため、第１の実施形態の効果に加えて、正規なフィルタエレメントであるフィルタエレメント３０と、正規なフィルタエレメントではないフィルタエレメント３８との区別がより明確になる。
【００５０】
つぎに、本発明の第３の実施形態に係る濾過装置１０について図８を参照して説明する。なお、第２の実施形態と同様な機能を有する構成については同一の付号を付して説明を省略する。第３の実施形態では、蓋側凸部４６と、蓋側凹部４９と、フィルタ側凹部３７（図示せず）と、フィルタ側凸部３９（図示せず）とは、単純な凸形状や凹形状である。なお、図中では、一例として平面円形状であるが、これに限定されるものではない。例えば平面四角形や平面三角形などであってもよい。第３の実施形態では、第２の実施形態と同様な効果が得られる。
【００５１】
つぎに、本発明の第４の実施形態に係る濾過装置１０について図９を参照して説明する。なお、先の実施形態と同様な機能を有する構成については同一の付号を付して説明を省略する。図９に示すように、第４の実施形態では、蓋部材４０の本体部４１には、蓋側凸部４６が形成されず、蓋側凹部４９が形成されている。
【００５２】
図９では、蓋側凹部４９の形状は、文字の鏡像形状であるが、これに限定されるものではない。図中に示されているＡ、Ｂ、Ｃの鏡像形状は一例である。例えば、複数の蓋側凹部４９は、濾過装置１０が組み込まれる油圧アクチュエータを製作する会社の社名や登録商標の鏡像形状であってもよい。あるいは、正規なフィルタエレメントであるフィルタエレメント３０を製作する、あるいは販売する会社の社名や登録商標の鏡像形状であってもよい。または、第３の実施形態で示されたように単純な形状であってもよい。フィルタエレメント３０の上端支持部材３５の上面３５ｂには、蓋側凹部４９に嵌合可能なフィルタ側凸部３９が形成されている。
【００５３】
濾過装置１０は、前記の構成によって、正規なフィルタエレメントであるフィルタエレメント３０以外のフィルタエレメント３８が、フィルタ側凸部３９に形状が似ているフィルタ側凸部を有する場合であっても、該フィルタ側凸部が蓋側凹部４９にできなかったり、または嵌合できてもゆるすぎたりまたはきつすぎたりする。
【００５４】
ゆるすぎたりきつすぎたりする場合、濾過装置１０の使用者は、フィルタエレメント３８に蓋部材４０を組み付ける際に感触の異常を感じることによって、フィルタエレメント３８を用いていることを認識することができる。これにより、正規なフィルタエレメントであるフィルタエレメント３０以外のフィルタエレメント３８が、フィルタ側凸部３９に形状が似ているフィルタ側凸部を有する場合であっても、フィルタエレメント３８が濾過装置１０に組み付けられることが抑制される。
【００５５】
嵌合できない場合は、フィルタエレメント３８と蓋部材４０との間に隙間が生じる。この隙間によって、がたつきや、取付手段５０の異常例えば止め輪５２を第２の溝５１に装着しにくくなるなどの不具合が生じる。このため、正規なフィルタエレメントであるフィルタエレメント３０以外のフィルタエレメント３８が、フィルタ側凸部３９に形状が似ているフィルタ側凸部を有する場合であっても、フィルタエレメント３８が濾過装置１０に組み付けられることが抑制される。
【００５６】
また、フィルタ側凸部３９によって会社名や登録商標が形成される場合は、正規なフィルタエレメントであるフィルタエレメント３０と、そうでないフィルタエレメント３８との区別が明確になるとともに、フィルタ側凸部３９が宣伝作用を有するようになる。
【００５７】
なお、第１から４の実施形態において、蓋側凸部４６と、蓋側凹部４９と、フィルタ側凹部３７と、フィルタ側凸部３９の形状として、文字形状や単純な形状を示したが、これらに限定されるものではなく、例えば記号や図柄などを表す形状であってもよい。要するに、蓋側凸部４６がフィルタ側凹部３７へ、およびフィルタ側凸部３９が蓋側凹部４９へ嵌合できる形状であればよい。
【００５８】
この場合も、第１と２の実施形態と同様に、フィルタ側凹部３７とフィルタ側凸部３９とは、それぞれが示す記号，図柄などが使用者に認識されやすいように正しい姿勢に形成され、蓋側凸部４６と蓋側凹部４９とは、対応するフィルタ側凹部３７とフィルタ側凸部３９とが示す記号，図柄などの鏡像形状に形成されることが好ましい。
【００５９】
また、蓋側凸部４６と、蓋側凹部４９と、フィルタ側凹部３７と、フィルタ側凸部３９とは、それぞれ複数形成されているが、これに限定されるものではない。それぞれ１つずつであってもよく、形成される数は限定されるものではない。
【００６０】
また、蓋部材４０は、取手４２とリリーフ弁４３とを備える構造であるが、これに限定されるものではない。例えば、蓋部材４０は、取手４２やリリーフ弁４３を備えていなくてもよい。
【００６１】
また、フィルタエレメント３０は、外側筒部材３１と内側筒部材３２とを両方備える構造であるが、これに限定されるものではない。例えば、フィルタエレメント３０は、外側筒部材３１と内側筒部材３２とのうち、いずれか一方を省略して用いることが可能である。
【図面の簡単な説明】
【００６２】
【図１】本発明の第１の実施形態に係る濾過装置が液圧回路に組み込まれている状態を示す縦断面図。
【図２】図１に示された濾過装置の分解縦断面図。
【図３】図１に示された濾過装置のフィルタエレメントの上面を示す斜視図。
【図４】図１に示された濾過装置の蓋部材の本体部の下面を示す斜視図。
【図５】図１に示された濾過装置の蓋部材が正規なフィルタエレメント以外のフィルタエレメントに取り付けられた状態を示す縦断面図。
【図６】本発明の第２の実施形態に係る濾過装置が液圧回路に組み込まれている状態を示す縦断面図。
【図７】図６に示された濾過装置の蓋部材の本体部の下面を示す斜視図。
【図８】本発明の第３の実施形態に係る蓋部材の本体部の下面を示す斜視図。
【図９】本発明の第４の実施形態に係る蓋部材の本体部の下面を示す斜視図。
【符号の説明】
【００６３】
１０…濾過装置、３５ａ…開口、３５ｂ…上面（端面）、３５ｃ…シール部、３７…フィルタ側凹部、３９…フィルタ側凸部、４０…蓋部材、４１ａ…下面、４６…蓋側凸部、４９…蓋側凹部。
【図１】
2005349336.tif 000003
【図２】
2005349336.tif 000004
【図３】
2005349336.tif 000005
【図４】
2005349336.tif 000006
【図５】
2005349336.tif 000007
【図６】
2005349336.tif 000008
【図７】
2005349336.tif 000009
【図８】
2005349336.tif 000010
【図９】
2005349336.tif 000011